(57)【要約】【課題】  記録用紙と、記録用紙以外の記録媒体との双方の記録に利用可能なインクジェット記録用水性インクと、処理剤と、を含むインクと処理剤のセットを提供する。【解決手段】  本発明のインクと処理剤のセットは、インクジェット記録用水性インクと、処理剤と、を含むインクと処理剤のセットであって、前記水性インクは、染料と、水と、を含み、前記処理剤は、ウレタン構造を含むカチオン性ポリマーエマルションを含む、ことを特徴とする。【選択図】  なし【特許請求の範囲】
【請求項１】
インクジェット記録用水性インクと、処理剤と、を含むインクと処理剤のセットであって、
前記水性インクは、染料と、水と、を含み、
前記処理剤は、ウレタン構造を含むカチオン性ポリマーエマルションを含む、
ことを特徴とするインクと処理剤のセット。
【請求項２】
前記染料は、直接染料及び酸性染料の少なくとも一方を含む、請求項１記載のインクと処理剤のセット。
【請求項３】
前記処理剤全量における前記カチオン性ポリマーエマルションの含有量が、２．５質量％〜２０質量％である、請求項１又は２記載のインクと処理剤のセット。
【請求項４】
前記処理剤全量における前記カチオン性ポリマーエマルションの含有量が、４質量％〜２０質量％である、請求項３記載のインクと処理剤のセット。
【請求項５】
前記ウレタン構造が、エステル系のウレタン構造である、請求項１〜４のいずれか一項に記載のインクと処理剤のセット。
【請求項６】
前記処理剤が、さらに、湿潤剤を含む、請求項１〜５のいずれか一項に記載のインクと処理剤のセット。
【請求項７】
前記湿潤剤が、多価アルコールを含む、請求項６記載のインクと処理剤のセット。
【請求項８】
前記多価アルコールが、プロピレングリコールである、請求項７記載のインクと処理剤のセット。
【請求項９】
前記処理剤が、カチオン性界面活性剤及びノニオン性界面活性剤の少なくとも一方を含む、請求項１〜８のいずれか一項に記載のインクと処理剤のセット。
【請求項１０】
前記処理剤が、カチオン性界面活性剤及びノニオン性界面活性剤を含む、請求項１〜８のいずれか一項に記載のインクと処理剤のセット。
【請求項１１】
前記ウレタン構造を含むカチオン性ポリマーエマルションが、前記ウレタン構造以外の部分に、アクリル構造及びスチレン構造の少なくとも一方を含む、請求項１〜１０のいずれか一項に記載のインクと処理剤のセット。
【請求項１２】
前記染料が、アゾ染料、アントラピリドン染料及びフタロシアニン染料からなる群から選択される少なくとも一つを含む、請求項１〜１１のいずれか一項に記載のインクと処理剤のセット。
【請求項１３】
請求項１〜１２のいずれか一項に記載のインクと処理剤のセットを用いて、布帛及び記録用紙を含む記録媒体に記録する記録方法であって、
前記記録媒体に前記水性インクをインクジェット方式により吐出して記録する記録工程を含み、
前記記録媒体が前記布帛の場合、さらに、
前記布帛に前記処理剤を付与する処理剤付与工程を含む、
ことを特徴とする記録方法。
【請求項１４】
前記記録媒体が、前記布帛の場合、前記処理剤付与工程後に、前記記録媒体を１３０℃〜２２０℃で熱処理して乾燥する乾燥工程を含む、請求項１３記載の記録方法。
【発明の詳細な説明】
【技術分野】
【０００１】
本発明は、インクと処理剤のセット及び記録方法に関する。
【背景技術】
【０００２】
コピー用紙やレポート用紙等の普通紙に対し、染料を含有する水性インク（以下、「水性染料インク」と言うことがある。）を用いて印字を行うインクジェット記録方法が提案されている（特許文献１）。
【先行技術文献】
【特許文献】
【０００３】
【特許文献１】特開２００３−１２７３５１号公報
【発明の概要】
【発明が解決しようとする課題】
【０００４】
しかしながら、普通紙等の記録用紙に加え、それ以外の布帛等の記録媒体にも記録可能な、新たなインクジェット記録方法が求められている。このとき、記録用紙向けの水性染料インクを布帛への記録に転用するのみでは、布帛を水洗すると、色落ちしてしまう。また、記録用紙への記録時と、布帛への記録時とにおける色の変化（色差）が小さいこと、及び、布帛への記録時において、記録前後での手触り、肌触り等の触感の変化が小さいことが求められる。
【０００５】
そこで、本発明は、記録用紙と、記録用紙以外の記録媒体との双方の記録に利用可能なインクジェット記録用水性インクと、処理剤と、を含むインクと処理剤のセットを提供することを目的とする。
【課題を解決するための手段】
【０００６】
前記目的を達成するために、本発明のインクと処理剤のセットは、
インクジェット記録用水性インクと、処理剤と、を含むインクと処理剤のセットであって、
前記水性インクは、染料と、水と、を含み、
前記処理剤は、ウレタン構造を含むカチオン性ポリマーエマルションを含む、
ことを特徴とする。
【発明の効果】
【０００７】
本発明のインクと処理剤のセットは、水性染料インクと、ウレタン構造を含むカチオン性ポリマーエマルションを含む処理剤と、を含むことで、記録用紙と、記録用紙以外の記録媒体との双方の記録に利用可能である。
【図面の簡単な説明】
【０００８】
【図１】図１は、本発明のインクジェット記録装置の一例の構成を示す概略斜視図である。
【図２】図２は、本発明のインクジェット記録装置の一例の構成を示す模式図である。
【図３】図３（ａ）及び（ｂ）は、本発明の記録方法における処理剤の付与例を示す図である。
【発明を実施するための形態】
【０００９】
［インクと処理剤のセット］
本発明のインクと処理剤のセットについて説明する。本発明のインクと処理剤のセットは、インクジェット記録用水性インク（以下、「水性インク」又は「インク」と言うことがある。）と、処理剤と、を含む。本発明のインクと処理剤のセットにおいて、前記水性インクは、１種のみであってもよいし、２種以上であってもよい。
【００１０】
（水性インク）
まず、前記水性インクについて説明する。前記水性インクは、染料と、水と、を含む。
【００１１】
前記染料は、特に限定されず、例えば、直接染料、酸性染料、塩基性染料、反応性染料、食用染料等があげられる。前記染料の具体例としては、Ｃ．Ｉ．ダイレクトブラック、Ｃ．Ｉ．ダイレクトブルー、Ｃ．Ｉ．ダイレクトレッド、Ｃ．Ｉ．ダイレクトイエロー、Ｃ．Ｉ．ダイレクトオレンジ、Ｃ．Ｉ．ダイレクトバイオレット、Ｃ．Ｉ．ダイレクトブラウン、Ｃ．Ｉ．ダイレクトグリーン、Ｃ．Ｉ．アシッドブラック、Ｃ．Ｉ．アシッドブルー、Ｃ．Ｉ．アシッドレッド、Ｃ．Ｉ．アシッドイエロー、Ｃ．Ｉ．アシッドオレンジ、Ｃ．Ｉ．アシッドバイオレット、Ｃ．Ｉ．ベーシックブラック、Ｃ．Ｉ．ベーシックブルー、Ｃ．Ｉ．ベーシックレッド、Ｃ．Ｉ．ベーシックバイオレット、Ｃ．Ｉ．リィアクティブブルー、Ｃ．Ｉ．リィアクティブレッド、Ｃ．Ｉ．リィアクティブイエロー、Ｃ．Ｉ．フードブラック、Ｃ．Ｉ．フードレッド、Ｃ．Ｉ．フードイエロー等があげられる。前記Ｃ．Ｉ．ダイレクトブラックとしては、例えば、Ｃ．Ｉ．ダイレクトブラック１７、１９、２２、３１、３２、５１、６２、７１、７４、１０８、１１２、１１３、１４６、１５４、１６８及び１９５等があげられる。前記Ｃ．Ｉ．ダイレクトブルーとしては、例えば、Ｃ．Ｉ．ダイレクトブルー１、６、１５、２２、２５、４１、７１、７６、７７、８０、８６、９０、９８、１０６、１０８、１２０、１５８、１６３、１６８、１９９及び２２６等があげられる。前記Ｃ．Ｉ．ダイレクトレッドとしては、例えば、Ｃ．Ｉ．ダイレクトレッド１、２、４、９、１１、１７、２０、２３、２４、２８、３１、３９、４６、６２、７５、７９、８０、８３、８９、９５、１９７、２０１、２１８、２２０、２２４、２２５、２２６、２２７、２２８、２２９及び２３０等があげられる。前記Ｃ．Ｉ．ダイレクトイエローとしては、例えば、Ｃ．Ｉ．ダイレクトイエロー８、１１、１２、２４、２６、２７、２８、３３、３９、４４、５０、５８、８５、８６、８７、８８、８９、９８、１００、１１０、１３２、１４２及び１７３等があげられる。前記Ｃ．Ｉ．ダイレクトオレンジとしては、例えば、Ｃ．Ｉ．ダイレクトオレンジ３４、３９、４４、４６及び６０等があげられる。前記Ｃ．Ｉ．ダイレクトバイオレットとしては、例えば、Ｃ．Ｉ．ダイレクトバイオレット４７及び４８等があげられる。前記Ｃ．Ｉ．ダイレクトブラウンとしては、例えば、Ｃ．Ｉ．ダイレクトブラウン１０９等があげられる。前記Ｃ．Ｉ．ダイレクトグリーンとしては、例えば、Ｃ．Ｉ．ダイレクトグリーン５９等があげられる。前記Ｃ．Ｉ．アシッドブラックとしては、例えば、Ｃ．Ｉ．アシッドブラック２、７、２４、２６、３１、４８、５１、５２、６３、１１０、１１２、１１５、１１８及び１５６等があげられる。前記Ｃ．Ｉ．アシッドブルーとしては、例えば、Ｃ．Ｉ．アシッドブルー１、７、９、１５、２２、２３、２５、２９、４０、４３、５９、６２、７４、７８、８０、９０、９３、１００、１０２、１０４、１１７、１２０、１２７、１３８、１５８、１６１、１６７、２２０及び２３４等があげられる。前記Ｃ．Ｉ．アシッドレッドとしては、例えば、Ｃ．Ｉ．アシッドレッド１、６、８、９、１３、１４、１８、２６、２７、３２、３５、３７、４２、５１、５２、８０、８３、８５、８７、８９、９２、９４、１０６、１１４、１１５、１３３、１３４、１４５、１５８、１８０、１９８、２４９、２５６、２６５、２８９、３１５及び３１７等があげられる。前記Ｃ．Ｉ．アシッドイエローとしては、例えば、Ｃ．Ｉ．アシッドイエロー１、３、７、１１、１７、２３、２５、２９、３６、３８、４０、４２、４４、６１、７１、７６、９８及び９９等があげられる。前記Ｃ．Ｉ．アシッドオレンジとしては、例えば、Ｃ．Ｉ．アシッドオレンジ７及び１９等があげられる。前記Ｃ．Ｉ．アシッドバイオレットとしては、例えば、Ｃ．Ｉ．アシッドバイオレット４９等があげられる。前記Ｃ．Ｉ．ベーシックブラックとしては、例えば、Ｃ．Ｉ．ベーシックブラック２等があげられる。前記Ｃ．Ｉ．ベーシックブルーとしては、例えば、Ｃ．Ｉ．ベーシックブルー１、３、５、７、９、２４、２５、２６、２８及び２９等があげられる。前記Ｃ．Ｉ．ベーシックレッドとしては、例えば、Ｃ．Ｉ．ベーシックレッド１、２、９、１２、１３、１４及び３７等があげられる。前記Ｃ．Ｉ．ベーシックバイオレットとしては、例えば、Ｃ．Ｉ．ベーシックバイオレット７、１４及び２７等があげられる。前記Ｃ．Ｉ．リィアクティブブルーとしては、例えば、Ｃ．Ｉ．リィアクティブブルー４、５、７、１３、１４、１５、１８、１９、２１、２６、２７、２９、３２、３８、４０、４４及び１００等があげられる。前記Ｃ．Ｉ．リィアクティブレッドとしては、例えば、Ｃ．Ｉ．リィアクティブレッド７、１２、１３、１５、１７、２０、２３、２４、３１、４２、４５、４６及び５９等があげられる。前記Ｃ．Ｉ．リィアクティブイエローとしては、例えば、Ｃ．Ｉ．リィアクティブイエロー２、３、１７、２５、３７及び４２等があげられる。前記Ｃ．Ｉ．フードブラックとしては、例えば、Ｃ．Ｉ．フードブラック１及び２等があげられる。前記Ｃ．Ｉ．フードレッドとしては、例えば、Ｃ．Ｉ．フードレッド８７、９２及び９４等があげられる。前記Ｃ．Ｉ．フードイエローとしては、例えば、Ｃ．Ｉ．フードイエロー３等があげられる。
【００１２】
前記染料は、例えば、直接染料及び酸性染料の少なくとも一方を含む。前述の染料の具体例のうち、Ｃ．Ｉ．ダイレクトブラック、Ｃ．Ｉ．ダイレクトブルー、Ｃ．Ｉ．ダイレクトレッド、Ｃ．Ｉ．ダイレクトイエロー、Ｃ．Ｉ．ダイレクトオレンジ、Ｃ．Ｉ．ダイレクトバイオレット、Ｃ．Ｉ．ダイレクトブラウン、Ｃ．Ｉ．ダイレクトグリーンが、前記直接染料に該当し、Ｃ．Ｉ．アシッドブラック、Ｃ．Ｉ．アシッドブルー、Ｃ．Ｉ．アシッドレッド、Ｃ．Ｉ．アシッドイエロー、Ｃ．Ｉ．アシッドオレンジ、Ｃ．Ｉ．アシッドバイオレットが、前記酸性染料に該当する。
【００１３】
前記水性インクにおいて、例えば、前記染料が、アゾ染料、アントラピリドン染料及びフタロシアニン染料からなる群から選択される少なくとも一つを含んでもよい。
【００１４】
前記染料は、１種類を単独で用いてもよいし、２種類以上を併用してもよい。前記水性インク全量における前記染料の含有量は、例えば、０．１質量％〜２０質量％、１質量％〜１５質量％、２質量％〜１０質量％である。
【００１５】
前記水は、イオン交換水又は純水であることが好ましい。前記水性インク全量における前記水の含有量は、例えば、他の成分の残部としてもよい。
【００１６】
前記水性インクは、さらに、水溶性有機溶剤を含んでもよい。前記水溶性有機溶剤としては、例えば、インクジェットヘッドのノズル先端部における水性インクの乾燥を防止する湿潤剤及び記録媒体上での乾燥速度を調整する浸透剤があげられる。
【００１７】
前記湿潤剤は、特に限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール等のポリエーテル；アルキレングリコール、グリセリン、トリメチロールプロパン、トリメチロールエタン等の多価アルコール；２−ピロリドン；Ｎ−メチル−２−ピロリドン；１，３−ジメチル−２−イミダゾリジノン；等があげられる。前記ポリアルキレングリコールは、例えば、ポリエチレングリコール、ポリプロピレングリコール等があげられる。前記アルキレングリコールは、例えば、エチレングリコール、プロピレングリコール、ブチレングリコール、ジエチレングリコール、トリエチレングリコール、ジプロピレングリコール、トリプロピレングリコール、チオジグリコール、ヘキシレングリコール等があげられる。これらの湿潤剤は、１種類を単独で用いてもよいし、２種類以上を併用してもよい。これらの中で、アルキレングリコール、グリセリン等の多価アルコールが好ましい。
【００１８】
前記水性インク全量における前記湿潤剤の含有量は、例えば、０質量％〜９５質量％、５質量％〜８０質量％、５質量％〜５０質量％である。
【００１９】
前記浸透剤は、例えば、グリコールエーテルがあげられる。前記グリコールエーテルは、例えば、エチレングリコールメチルエーテル、エチレングリコールエチルエーテル、エチレングリコール−ｎ−プロピルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコール−ｎ−ヘキシルエーテル、トリエチレングリコールメチルエーテル、トリエチレングリコールエチルエーテル、トリエチレングリコール−ｎ−プロピルエーテル、トリエチレングリコール−ｎ−ブチルエーテル、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールメチルエーテル、トリプロピレングリコールエチルエーテル、トリプロピレングリコール−ｎ−プロピルエーテル及びトリプロピレングリコール−ｎ−ブチルエーテル等があげられる。前記浸透剤は、１種類を単独で用いてもよいし、２種類以上を併用してもよい。
【００２０】
前記水性インク全量における前記浸透剤の含有量は、例えば、０質量％〜２０質量％、０質量％〜１５質量％、１質量％〜４質量％である。
【００２１】
前記水性インクは、必要に応じて、さらに、従来公知の添加剤を含んでもよい。前記添加剤としては、例えば、界面活性剤、ｐＨ調整剤、表面張力調整剤、防黴剤等があげられる。前記粘度調整剤は、例えば、ポリビニルアルコール、セルロース、水溶性樹脂等があげられる。
【００２２】
前記水性インクは、例えば、前記染料と、前記水と、必要に応じて他の添加成分とを、従来公知の方法で均一に混合し、フィルタ等で不溶解物を除去することにより調製できる。
【００２３】
（処理剤）
つぎに、前記処理剤について説明する。前記処理剤は、ウレタン構造を含むカチオン性ポリマーエマルションを含む。
【００２４】
前記ウレタン構造を含むカチオン性ポリマーエマルション（以下、「カチオン性ウレタンエマルション」と言うことがある。）において、前記ウレタン構造は、エステル系のウレタン構造であってもよい。前記ウレタン構造がエステル系のウレタン構造であれば、布帛への記録時において、記録前後での手触り、肌触り等の触感の変化がより小さい。
【００２５】
前記カチオン性ウレタンエマルションの最低造膜温度は、４０℃以下であることが好ましい。本発明において、「最低造膜温度」とは、例えば、ポリマーエマルションが加熱により造膜するのに必要な最低温度のことを言う。前記最低造膜温度は、例えば、ＪＩＳ  Ｋ  ６８２８−２：２００３の「最低造膜温度の求め方」に準拠して測定することができる。具体的には、例えば、温度勾配をつけたアルミニウム板にポリマーエマルションを薄く塗布し、乾燥皮膜を形成する地点の温度として、最低造膜温度測定装置を用いて測定することができる。前記最低造膜温度測定装置としては、例えば、ＲＨＯＰＯＩＮＴ  ＩＮＳＴＲＵＭＥＮＴＳ  ＬＴＤ製の「ＭＩＮＩＭＵＭ  ＦＩＬＭ  ＦＯＲＭＩＮＧ  ＴＥＭＰＥＲＡＴＵＲＥ  ＢＡＲ  ９０」等があげられる。
【００２６】
前記カチオン性ウレタンエマルションは、自家調製してもよいし、市販品を用いてもよい。前記市販品としては、例えば、ジャパンコーティングレジン（株）製の「モビニール（登録商標）６９１０」（ウレタン構造がエステル系であるカチオン性ウレタンエマルション）；第一工業製薬（株）製の「スーパーフレックス（登録商標）６２０」（ウレタン構造がエステル系であるカチオン性ウレタンエマルション）、「スーパーフレックス（登録商標）６５０」；等があげられる。
【００２７】
前記カチオン性ウレタンエマルションの平均粒子径は、例えば、１００ｎｍ〜３００ｎｍである。前記平均粒子径は、例えば、（株）堀場製作所製の動的光散乱式粒径分布測定装置「ＬＢ−５００」を用いて、算術平均径として測定可能である。
【００２８】
前記カチオン性ウレタンエマルションは、前記ウレタン構造以外の部分に、アクリル構造及びスチレン構造の少なくとも一方を含むことが好ましく、アクリル構造を含むこと（ウレタンアクリルエマルションであること）がより好ましい。前述の市販品（「モビニール（登録商標）６９１０」、「スーパーフレックス（登録商標）６２０」及び「スーパーフレックス（登録商標）６５０」）は、いずれもウレタンアクリルエマルションに該当する。
【００２９】
前記カチオン性ウレタンエマルションにおいて、前記ウレタン構造部分の占める割合が、１０％以上であることが好ましく、２０％以上であることがより好ましい。なお、前記ウレタン構造部分の占める割合は、前記カチオン性ウレタンエマルションの固形分に占める前記ウレタン構造部分の割合である。
【００３０】
前記処理剤全量における前記カチオン性ウレタンエマルションの含有量は、例えば、１質量％〜４０質量％、２質量％〜２５質量％、２．５質量％〜２０質量％である。前記含有量を２．５質量％以上とすれば、布帛への記録において、耐水性により優れる。また、前記含有量を２０質量％以下とすれば、記録用紙への記録時と、布帛への記録時とにおける色の変化（色差）がより小さく、且つ、布帛への記録時において、記録前後での手触り、肌触り等の触感の変化がより小さい。なお、前記含有量は、前記処理剤全量における前記カチオン性ウレタンエマルションの固形分含有量である。
【００３１】
前記処理剤は、さらに、湿潤剤を含んでもよい。
【００３２】
前記湿潤剤は、特に限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール等のポリエーテル；アルキレングリコール、グリセリン、トリメチロールプロパン、トリメチロールエタン等の多価アルコール；２−ピロリドン；Ｎ−メチル−２−ピロリドン；１，３−ジメチル−２−イミダゾリジノン；等があげられる。前記ポリアルキレングリコールは、例えば、ポリエチレングリコール、ポリプロピレングリコール等があげられる。前記アルキレングルコールは、例えば、エチレングリコール、プロピレングリコール、ブチレングリコール、ジエチレングルコール、トリエチレングリコール、ジプロピレングリコール、トリプロピレングリコール、チオジグリコール、ヘキシレングリコール等があげられる。これらの湿潤剤は、１種類を単独で用いてもよいし、２種類以上を併用してもよい。これらの中でも、プロピレングリコール等のアルキレングリコール、グリセリン等の多価アルコールが好ましい。
【００３３】
前記処理剤全量における前記湿潤剤の含有量は、例えば、０質量％〜８０質量％、１質量％〜６０質量％、５質量％〜５０質量％である。
【００３４】
前記処理剤は、さらに、前記湿潤剤以外の水溶性有機溶剤を含んでもよい。前記湿潤剤以外の水溶性有機溶剤としては、例えば、記録媒体上での乾燥速度を調整する浸透剤があげられる。
【００３５】
前記浸透剤としては、例えば、前記水性インクにおいて例示したのと同様のものを用い得る。前記浸透剤は、１種類を単独で用いてもよいし、２種類以上を併用してもよい。前記処理剤全量における前記浸透剤の含有量は、例えば、０質量％〜２０質量％、０質量％〜１５質量％、１質量％〜４質量％である。
【００３６】
前記処理剤は、さらに、水を含んでもよい。前記水は、イオン交換水又は純水であることが好ましい。前記処理剤全量における前記水の含有量は、例えば、他の成分の残部としてもよい。
【００３７】
前記処理剤は、さらに、カチオン性界面活性剤及びノニオン性界面活性剤の少なくとも一方を含んでもよく、カチオン性界面活性剤及びノニオン性界面活性剤の双方を含んでもよい。
【００３８】
前記カチオン性界面活性剤としては、例えば、第４級アンモニウム塩、第４級アンモニウムイオン、第１級、第２級及び第３級アミン塩型化合物、アルキルアミン塩、ジアルキルアミン塩、脂肪族アミン塩、アルキルピリジニウム塩、イミダゾリニウム塩、スルホニウム塩、ホスホニウム塩、オニウム塩等があげられる。前記第４級アンモニウム塩及び前記第４級アンモニウムイオン以外の前記カチオン性界面活性剤の具体例としては、ラウリルアミン、ヤシアミン、ロジンアミン等の塩酸塩、酢酸塩等、セチルピリジニウムクロライド、セチルピリジニウムブロマイド、ジヒドロキシエチルラウリルアミン等があげられる。
【００３９】
前記第４級アンモニウム塩としては、例えば、式（１）で表されるカチオン性化合物等があげられる。
【化１】
2019178316.tif 000002
式（１）において、
Ｒ１〜Ｒ４は、それぞれ、炭素原子数１〜３０の炭化水素基であり、Ｒ１〜Ｒ４は互いに同一でも異なっていてもよく、
Ｘ−は、アニオンである。
【００４０】
式（１）において、Ｒ１〜Ｒ３は、それぞれ、炭素原子数１〜５のアルキル基であってもよい。前記炭素原子数１〜５のアルキル基は、直鎖でも分岐鎖でもよく、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ｓｅｃ−ペンチル基、３−ペンチル基、ｔｅｒｔ−ペンチル基等があげられる。前記炭素原子数１〜５のアルキル基は、ハロゲン原子等の置換基を有してもよい。式（１）において、Ｒ１〜Ｒ３は互いに同一でも異なっていてもよい。
【００４１】
式（１）において、Ｒ４は、炭素原子数６〜３０のアルキル基であってもよい。前記炭素原子数６〜３０のアルキル基としては、例えば、ヘキシル基、ヘプチル基、オクチル基、ノニル基、デシル基、ラウリル基（ドデシル基）、テトラデシル基、セチル基（ヘキサデシル基）等があげられる。前記炭素原子数６〜３０のアルキル基は、ハロゲン原子等の置換基を有してもよく、直鎖でも分岐鎖でもよい。
【００４２】
式（１）において、Ｘ−は、アニオンである。前記アニオンは、いかなるものであってもよいが、例えば、メチル硫酸イオン、エチル硫酸イオン、硫酸イオン、硝酸イオン、酢酸イオン、ジカルボン酸（例えば、リンゴ酸、イタコン酸等）イオン、トリカルボン酸（例えば、クエン酸等）イオン、水酸化物イオン、ハロゲン化物イオン等があげられる。Ｘ−がジカルボン酸イオン又はトリカルボン酸イオンである場合には、ジカルボン酸イオン又はトリカルボン酸イオンが、２つ又は３つの第４級アンモニウムイオン（式（１）からＸ−を除いたカチオン）のカウンターイオンとなる。
【００４３】
式（１）で表されるカチオン性化合物としては、例えば、ラウリルトリメチルアンモニウム硫酸塩、ラウリルトリメチルアンモニウムクロリド、セチルトリメチルアンモニウムクロリド、ベンジルジメチルアルキルアンモニウムクロリド等があげられる。式（１）で表されるカチオン性化合物は、自家調製してもよいし、市販品を用いてもよい。前記市販品としては、例えば、第一工業製薬（株）製の「カチオーゲン（登録商標）ＴＭＬ」、「カチオーゲン（登録商標）ＴＭＰ」、「カチオーゲン（登録商標）ＥＳ−Ｏ」；東京化成工業（株）製の「塩化ベンザルコニウム」；等があげられる。
【００４４】
前記第４級アンモニウムイオンとしては、例えば、式（１）からＸ−を除いたカチオン等があげられる。
【００４５】
前記ノニオン性界面活性剤は、例えば、市販品を用いてもよい。前記ノニオン性界面活性剤の市販品としては、例えば、ライオン・スペシャリティ・ケミカルズ（株）製の「ＤＯＢＡＮＯＸ（登録商標）」シリーズ、「ＬＥＯＣＯＬ（登録商標）」シリーズ、「ＬＥＯＸ（登録商標）」シリーズ、「ＬＡＯＬ，ＬＥＯＣＯＮ（登録商標）」シリーズ、「ＬＩＯＮＯＬ（登録商標）」シリーズ、「ＣＡＤＥＮＡＸ（登録商標）」シリーズ、「ＬＩＯＮＯＮ（登録商標）」シリーズ、「ＬＥＯＦＡＴ（登録商標）」シリーズ等；花王（株）製の「ＥＭＵＬＧＥＮ（登録商標）」シリーズ、「ＲＨＥＯＤＯＬ（登録商標）」シリーズ、「ＥＭＡＳＯＬ（登録商標）」シリーズ、「ＥＸＣＥＬ（登録商標）」シリーズ、「ＡＭＩＮＯＮ（登録商標）」シリーズ等；日信化学工業（株）製の「オルフィン（登録商標）」シリーズ等；があげられる。
【００４６】
前記処理剤全量におけるカチオン性界面活性剤及びノニオン性界面活性剤の少なくとも一方の含有量は、例えば、０．０５質量％〜２０質量％、０．１質量％〜１０質量％、０．２質量％〜５質量％である。なお、前記含有量は、有効成分量である。
【００４７】
前記処理剤は、必要に応じて、さらに、従来公知の添加剤を含んでもよい。前記添加剤としては、例えば、ｐＨ調整剤、粘度調整剤、表面張力調整剤、防黴剤等があげられる。前記粘度調整剤は、例えば、ポリビニルアルコール、セルロース、水溶性樹脂等があげられる。
【００４８】
前記処理剤は、例えば、前記カチオン性ウレタンエマルションと、必要に応じて他の添加成分とを、従来公知の方法で均一に混合することにより調製できる。
【００４９】
前記処理剤の粘度は、例えば、１００ｍＰａ・ｓ以下、２０ｍＰａ・ｓ以下、１０ｍＰａ・ｓ以下である。前記粘度は、２５℃で測定した値である。
【００５０】
［処理剤］
つぎに、本発明の処理剤について説明する。本発明の処理剤は、本発明のインクと処理剤のセットに用いる処理剤であって、ウレタン構造を含むカチオン性ポリマーエマルションを含むことを特徴とする。本発明の処理剤は、前述の本発明のインクと処理剤のセットにおける処理剤と同様であり、その説明を援用できる。
【００５１】
［記録方法及びインクジェット記録装置］
つぎに、本発明の記録方法について説明する。
【００５２】
本発明の記録方法は、
本発明のインクと処理剤のセットを用いて、布帛及び記録用紙を含む記録媒体に記録する記録方法であって、
前記記録媒体に前記水性インクをインクジェット方式により吐出して記録する記録工程を含み、
前記記録媒体が前記布帛の場合、さらに、
前記布帛に前記処理剤を付与する処理剤付与工程を含む、
ことを特徴とする。前記記録は、印字、印画、印刷等を含む。
【００５３】
本発明の記録方法において、前記布帛は、編物及び織物の双方を含む。前記布帛の材質は、天然繊維であっても、合成繊維であってもよい。前記天然繊維としては、例えば、綿、絹等があげられる。前記合成繊維としては、例えば、ポリエステル、ナイロン、アクリル等があげられる。
【００５４】
本発明の記録方法は、例えば、つぎに説明する本発明のインクジェット記録装置を用いて実施可能である。
【００５５】
本発明のインクジェット記録装置は、インクセット収容部と、処理剤付与手段と、インク吐出手段と、制御手段と、を含むインクジェット記録装置であって、前記インクセット収容部に、本発明のインクと処理剤のセットが収容され、前記インクと処理剤のセットを構成する前記処理剤を、前記処理剤付与手段によって記録媒体に付与可能であり、前記インクと処理剤のセットを構成する前記水性インクが、前記インク吐出手段によって前記記録媒体に吐出され、前記制御手段は、前記記録媒体の種類に応じて、前記処理剤付与手段による付与を制御する、
ことを特徴とする。
【００５６】
図１に、本発明のインクジェット記録装置の一例の構成を示す。図示のとおり、このインクジェット記録装置１は、４つのインクカートリッジ１と、インク吐出手段（インクジェットヘッド）３と、ヘッドユニット４と、キャリッジ５と、駆動ユニット６と、プラテンローラ７と、パージ装置８と、を主要な構成要素として含む。
【００５７】
４つのインクカートリッジ２は、イエロー、マゼンタ、シアン及びブラックの４色の水性インクを、それぞれ１色ずつ含む。例えば、前記４色の水性インクのうちの少なくとも一つが、本発明のインクと処理剤のセットを構成する水性インクである。本例では、４つのインクカートリッジ２のセットを示したが、これに代えて、水性イエローインク収納部、水性マゼンタインク収納部、水性シアンインク収納部及び水性ブラックインク収納部を形成するようにその内部が間仕切りされた一体型のインクカートリッジを用いてもよい。前記インクカートリッジの本体としては、例えば、従来公知のものを使用できる。
【００５８】
ヘッドユニット４に設置されたインクジェットヘッド３は、記録媒体（例えば、記録用紙）Ｐに記録を行う。なお、前記記録媒体は、布帛等の記録用紙Ｐ以外の記録媒体であってもよい。キャリッジ５には、４つのインクカートリッジ２及びヘッドユニット４が搭載される。駆動ユニット６は、キャリッジ５を直線方向に往復移動させる。駆動ユニット６としては、例えば、従来公知のものを使用できる（例えば、特開２００８−２４６８２１号公報参照）。プラテンローラ７は、キャリッジ５の往復方向に延び、インクジェットヘッド３と対向して配置されている。
【００５９】
パージ装置８は、インクジェットヘッド３の内部に溜まる気泡等を含んだ不良インクを吸引する。パージ装置８としては、例えば、従来公知のものを使用できる（例えば、特開２００８−２４６８２１号公報参照）。
【００６０】
パージ装置８のプラテンローラ７側には、パージ装置８に隣接してワイパ部材２０が配設されている。ワイパ部材２０は、へら状に形成されており、キャリッジ５の移動に伴って、インクジェットヘッド３のノズル形成面を拭うものである。図１において、キャップ１８は、水性インクの乾燥を防止するため、記録が終了するとリセット位置に戻されるインクジェットヘッド３の複数のノズルを覆うものである。
【００６１】
本例のインクジェット記録装置１においては、４つのインクカートリッジ２は、ヘッドユニット４と共に、１つのキャリッジ５に搭載されている。ただし、本発明は、これに限定されない。インクジェット記録装置１において、４つのインクカートリッジ２の各カートリッジは、ヘッドユニット４とは別のキャリッジに搭載されていてもよい。また、４つのインクカートリッジ２の各カートリッジは、キャリッジ５には搭載されず、インクジェット記録装置１内に配置、固定されていてもよい。これらの態様においては、例えば、４つのインクカートリッジ２の各カートリッジと、キャリッジ５に搭載されたヘッドユニット４とが、チューブ等により連結され、４つのインクカートリッジ２の各カートリッジからヘッドユニット４に前記水性インクが供給される。また、これらの態様においては、４つのインクカートリッジ２に代えて、ボトル形状の４つのインクボトルを用いてもよい。この場合、前記インクボトルには、外部から内部にインクを注入するための注入口が設けられていることが好ましい。
【００６２】
このインクジェット記録装置１を用いた記録は、例えば、つぎのようにして実施される。
【００６３】
まず、前記制御手段により、前記記録媒体の種類に応じて、前記処理剤付与手段による付与を制御する。具体的には、前記記録媒体が布帛の場合、前記処理剤を付与することを選択する。一方、前記記録媒体が、記録用紙等の布帛以外の記録媒体である場合、前記制御手段は、例えば、前記処理剤を付与するか否かを、ユーザに任意に選択させる。前記処理剤の付与は、例えば、スプレー方式、スタンプ塗布、刷毛塗り、ローラ塗布、ディッピング、インクジェット方式等により実施できる。前記処理剤の付与は、前記布帛の記録面の全面でもよく、一部でもよい。一部に付与する場合、前記布帛の記録面の少なくとも水性インクによる記録部分が付与部となる。一部に付与する場合、付与部の大きさは、記録部分よりも大きい方がよい。例えば、図３（ａ）に示すように、布帛Ｆに対し、文字（Ｘ）を記録する場合は、前記文字の線幅よりも大きな線幅で付与部３０を形成するように前記処理剤を付与することが好ましい。また、図３（ｂ）に示すように、布帛Ｆに対し、図柄を記録する場合は、前記図柄よりも大きな付与部４０を形成するように前記処理剤を付与することが好ましい。
【００６４】
前記処理剤付与工程において、前記布帛の面積あたりの前記処理剤の付与量は、例えば、４．７ｍｇ／ｃｍ２（３０ｍｇ／ｉｎｃｈ２）〜５０ｍｇ／ｃｍ２（３２０ｍｇ／ｉｎｃｈ２）である。
【００６５】
本発明の記録方法は、前記記録媒体が前記布帛の場合、さらに、前記処理剤付与工程で付与した処理剤を乾燥させる乾燥工程を含んでもよい。前記乾燥工程の実施時期としては、例えば、前記記録工程前と、前記記録工程後と、があげられ、前者が好ましい。なお、本発明の記録方法において、前記乾燥工程の実施は、任意であり、前記記録媒体が前記布帛の場合においても、前記乾燥工程を実施しなくてもよい。
【００６６】
前記乾燥は、例えば、風乾（自然乾燥）であってもよいし、市販のアイロン、ホットプレス機、ドライヤー、オーブン、ベルトコンベアオーブン、ＩＲヒーター等の乾燥手段を用いた乾燥であってもよい。前記乾燥時の温度は、例えば、１３０℃〜２２０℃であり、前記布帛が綿の場合は、１８０℃〜２１０℃が好ましく、前記布帛がポリエステルの場合は、１４０℃〜１６０℃が好ましい。前記乾燥温度は、例えば、乾燥雰囲気の温度でもよいし、前記乾燥手段の設定温度でもよい。
【００６７】
図２に示すように、前記乾燥工程は、例えば、図１に示す本発明のインクジェット記録装置１が備えた、乾燥手段２３を用いて実施してもよい。図２において、図１と同一部分には、同一符号を付している。なお、図２において、符号２１及び符号２４は、それぞれ、図１では図示を省略した供給トレイ及び排出トレイを示し、符号３Ａは、インクジェットヘッド３の下面に形成された複数のノズルを示す。また、前記乾燥工程は、例えば、インクジェット記録装置外部で実施してもよい。
【００６８】
前記乾燥工程においては、例えば、前記付与した処理剤の質量を、付与時における前記処理剤の付与量の５０％以下まで減少させてもよく、３０％以下まで減少させてもよい。前記乾燥工程は、例えば、前記処理剤中の溶剤（例えば、前記水、前記水溶性有機溶剤等）を揮発させる溶剤揮発工程、前記処理剤の質量を減少させる質量減少工程と言うこともできる。
【００６９】
つぎに、インクジェットヘッド３から、前記記録媒体に、前記水性インクを吐出して記録する。このとき、前記処理剤付与工程において前記処理剤を付与することが選択された場合には、前記処理剤の付与部に、前記水性インクを吐出する。
【００７０】
本例では、前記処理剤を付与することが選択された場合において、前記処理剤を、前記水性インクの吐出に先立ち前記布帛に付与する前処理剤として使用している。ただし、本発明は、これに限定されない。本発明では、前記布帛に前記水性インクを先に吐出した後、前記処理剤を付与してもよいし、前記布帛への前記処理剤の付与と前記水性インクの吐出とを同時に行ってもよい。
【００７１】
一般的な布帛への記録方法においては、前記記録工程後に、前記水性インクを前記布帛に熱定着させる熱定着工程を実施するが、本発明の記録方法において、前記熱定着工程を実施するか否かは任意であり、実施してもよいし、実施しなくてもよい。
【００７２】
このようにして記録された記録媒体Ｐは、インクジェット記録装置１から排出される。本発明によれば、記録用紙Ｐに代えて、布帛に記録を行った場合であっても、水洗後の色落ちが抑制される。この色落ち抑制効果は、前記水性インクに含まれる染料が一般的にアニオン性であることから、前記処理剤に含まれる前記カチオン性ウレタンエマルションにより、前記染料の電荷が打ち消されて非水化され、耐水性が高まったためと推定される。ただし、このメカニズムは推定に過ぎず、本発明はこれに限定されない。また、本発明によれば、記録用紙Ｐへの記録時と、布帛への記録時とにおける色の変化（色差）が小さく、且つ、布帛への記録時において、記録前後での手触り、肌触り等の触感の変化も小さい。
なお、図１においては、記録媒体Ｐの供給機構及び排出機構の図示を省略している。
【００７３】
図１に示す装置では、シリアル型インクジェットヘッドを採用するが、本発明は、これに限定されない。前記インクジェット記録装置は、ライン型インクジェットヘッドを採用する装置であってもよい。
【００７４】
本発明の記録方法は、前記記録媒体が前記布帛の場合、さらに、前記布帛を水で洗浄する洗浄工程を含み、前記洗浄工程を、前記記録工程の後に実施してもよい。
【００７５】
［記録媒体］
つぎに、本発明の記録媒体について説明する。
【００７６】
本発明の記録媒体は、
基材上に、被覆層が形成された記録媒体であって、
前記被覆層が、前記カチオン性ウレタンエマルションを用いて形成される、
ことを特徴とする。
【００７７】
本発明の記録媒体において、前記基材としては、例えば、布帛、記録用紙等があげられる。前記基材への前記被覆層の形成は、例えば、前述の本発明の記録方法における記録媒体への処理剤の付与方法と同様にして実施できる。
【実施例】
【００７８】
つぎに、本発明の実施例について比較例と併せて説明する。なお、本発明は、下記の実施例及び比較例により限定及び制限されない。
【００７９】
〔水性染料インクの調製〕
水性インク組成（表１）の各成分を、均一に混合した。その後、得られた混合物を、東洋濾紙（株）製のポリテトラフルオロエチレン（ＰＴＦＥ）タイプメンブレンフィルタ（孔径：０．２０μｍ）を用いてろ過することで、インクジェット記録用水性シアン染料インクＣ１及びＣ２を得た。
【００８０】
【表１】
2019178316.tif 000003
【００８１】
［実施例１〜１１及び比較例１〜４］
〔処理剤の調製〕
処理剤組成（表２）の各成分を、均一に混合して、実施例１〜１１及び比較例１〜４のインクと処理剤のセットを構成する処理剤を得た。
【００８２】
表２に示すように、表１に示す水性シアン染料インクＣ１又はＣ２と、表２に示す組成の処理剤とを組み合わせることで、実施例１〜１１及び比較例１〜４のインクと処理剤のセットを得た。
【００８３】
実施例１〜１１及び比較例１〜４のインクと処理剤のセットについて、（ａ）画質評価（記録用紙と綿との色差）、（ｂ）定着性評価（綿での水洗前後の色差）、（ｃ）触感評価（綿）、（ｄ）画質評価（記録用紙とポリエステルとの色差）、（ｅ）定着性評価（ポリエステルでの水洗前後の色差）、（ｆ）触感評価（ポリエステル）を、下記方法により実施した。
【００８４】
（ａ）画質評価（記録用紙と綿との色差）
ブラザー工業（株）製のインクジェットプリンタ搭載デジタル複合機ＤＣＰ−Ｊ４２２５Ｎを使用して、実施例及び比較例のインクと処理剤のセットを構成する水性シアン染料インクを用いて、記録用紙（アスクル（株）製の「スーパーホワイト＋」）上に単色パッチを記録し、評価サンプルを作製した。前記記録用紙の評価サンプルの単色パッチの色（Ｌ＊１、ａ＊１及びｂ＊１）を、Ｇｒｅｔａｇ  Ｍａｃｂｅｔｈ社製の分光測色計Ｓｐｅｃｔｒｏｌｉｎｏ（測定視野：２°；白色基準：Ａｂｓ（絶対白色）；光源：Ｄ５０；濃度基準：ＡＮＳＩ  Ｔ）により測定した。これらの数値は、１９７６年に国際照明委員会（ＣＩＥ）で規格化されたＬ＊ａ＊ｂ＊表色系（ＣＩＥ１９７６（Ｌ＊ａ＊ｂ＊）表色系）に基づくものである（ＪＩＳ  Ｚ  ８７２９参照）。前記色（Ｌ＊１、ａ＊１及びｂ＊１）の測定結果は、３回の測定の平均値である。
【００８５】
（綿の評価サンプルでの色測定）
平面サイズが１５ｃｍ×５ｃｍの綿（シーチング）上に、実施例及び比較例のインクと処理剤のセットを構成する処理剤１ｇを、スプレー方式により均一に付与した。前記処理剤付与後の綿に、２１０℃を上限とした高温（１８０℃〜２１０℃）のアイロンを２分間かけて乾燥させた。つぎに、前記インクジェットプリンタ搭載デジタル複合機ＤＣＰ−Ｊ４２２５Ｎを使用して、記録用紙におけるのと同様にして、前記綿上に単色パッチを記録し、評価サンプルを作製した。前記綿の評価サンプルの単色パッチの色（Ｌ＊２、ａ＊２、ｂ＊２）を、前記記録用紙の評価サンプルと同様にして測定した。
【００８６】
（色差（ΔＥ１）の算出）
前記記録用紙の評価サンプルの色と、前記綿の評価サンプルの色との色差（ΔＥ１）を、下記式により算出し、下記評価基準に従って評価した。
ΔＥ１＝｛（Ｌ＊１−Ｌ＊２）２＋（ａ＊１−ａ＊２）２＋（ｂ＊１−ｂ＊２）２｝１／２
【００８７】
画質評価（記録用紙と綿との色差）  評価基準
Ａ：記録用紙と綿との色差（ΔＥ１）が、８．０以下
Ｂ：記録用紙と綿との色差（ΔＥ１）が、８．０を超えて１６．０未満
Ｃ：記録用紙と綿との色差（ΔＥ１）が、１６．０以上
【００８８】
（ｂ）定着性評価（綿での水洗前後の色差）
（ａ）画質評価（記録用紙と綿との色差）における綿の評価サンプルを、水の中で前記評価サンプルの一部が他の部分と擦れることがない程度に振りながら５分間水洗した。水洗後、乾燥して得られた前記評価サンプルの単色パッチの色（Ｌ＊３、ａ＊３及びｂ＊３）を、（ａ）画質評価（記録用紙と綿との色差）における前記記録用紙の評価サンプルと同様にして測定し、前記綿の評価サンプルの水洗前後での色差（ΔＥ２）を、下記式により算出して、下記評価基準に従って評価した。
ΔＥ２＝｛（Ｌ＊２−Ｌ＊３）２＋（ａ＊２−ａ＊３）２＋（ｂ＊２−ｂ＊３）２｝１／２
【００８９】
定着性評価  評価基準
Ａ：水洗前と水性後の色差（ΔＥ２）が、８．０以下
Ｂ：水洗前と水性後の色差（ΔＥ２）が、８．０を超えて１８．０未満
Ｃ：水洗前と水性後の色差（ΔＥ２）が、１８．０以上
【００９０】
（ｃ）触感評価（綿）
１０人の被験者が、（ａ）画質評価（記録用紙と綿との色差）における綿の評価サンプルと、処理剤の付与及び水性シアン染料インクの吐出を行っていない元の綿と、を指で触り、前記評価サンプルが、前記元の綿と比べ、手触りが硬くなったと感じた人数を集計し、下記評価基準に従って評価した。
【００９１】
触感評価  評価基準
ＡＡ：前記評価サンプルの手触りが硬くなったと感じた人数が、１０人中１人以下
Ａ  ：前記評価サンプルの手触りが硬くなったと感じた人数が、１０人中２人〜４人
Ｂ  ：前記評価サンプルの手触りが硬くなったと感じた人数が、１０人中５人〜７人
Ｃ  ：前記評価サンプルの手触りが硬くなったと感じた人数が、１０人中８人以上
【００９２】
（ｄ）画質評価（記録用紙とポリエステルとの色差）
綿（シーチング）に代えて、同じ平面サイズのポリエステルのツイルを用いたこと、及び、アイロンの温度を１６０℃を上限とした中温（１４０℃〜１６０℃）としたこと以外は、（ａ）画質評価（記録用紙と綿との色差）と同様にして、前記記録用紙の評価サンプルの色と、前記ポリエステルの評価サンプルの色（Ｌ＊４、ａ＊４及びｂ＊４）との色差（ΔＥ３）を、下記式により算出し、下記評価基準に従って評価した。
ΔＥ３＝｛（Ｌ＊１−Ｌ＊４）２＋（ａ＊１−ａ＊４）２＋（ｂ＊１−ｂ＊４）２｝１／２
【００９３】
画質評価（記録用紙とポリエステルとの色差）  評価基準
Ａ：記録用紙とポリエステルとの色差（ΔＥ３）が、８．０以下
Ｂ：記録用紙とポリエステルとの色差（ΔＥ３）が、８．０を超えて１６．０未満
Ｃ：記録用紙とポリエステルとの色差（ΔＥ３）が、１６．０以上
【００９４】
（ｅ）定着性評価（ポリエステルでの水洗前後の色差）
（ｄ）画質評価（記録用紙とポリエステルとの色差）におけるポリエステルの評価サンプルを、（ｂ）定着性評価（綿での水洗前後の色差）における綿の評価サンプルと同様にして水洗、乾燥して得られた前記評価サンプルの単色パッチの色（Ｌ＊５、ａ＊５及びｂ＊５）を、（ａ）画質評価（記録用紙と綿との色差）における前記記録用紙の評価サンプルと同様にして測定し、前記ポリエステルの評価サンプルの水洗前後での色差（ΔＥ４）を、下記式により算出して、下記評価基準に従って評価した。
ΔＥ４＝｛（Ｌ＊４−Ｌ＊５）２＋（ａ＊４−ａ＊５）２＋（ｂ＊４−ｂ＊５）２｝１／２
【００９５】
定着性評価  評価基準
Ａ：水洗前と水性後の色差（ΔＥ４）が、８．０以下
Ｂ：水洗前と水性後の色差（ΔＥ４）が、８．０を超えて１８．０未満
Ｃ：水洗前と水性後の色差（ΔＥ４）が、１８．０以上
【００９６】
（ｆ）触感評価
１０人の被験者が、（ｄ）画質評価（記録用紙とポリエステルとの色差）におけるポリエステルの評価サンプルと、処理剤の付与及び水性シアン染料インクの吐出を行っていない元のポリエステルと、を指で触り、前記評価サンプルが、前記元のポリエステルと比べ、手触りが硬くなったと感じた人数を集計し、下記評価基準に従って評価した。
【００９７】
触感評価  評価基準
ＡＡ：前記評価サンプルの手触りが硬くなったと感じた人数が、１０人中１人以下
Ａ  ：前記評価サンプルの手触りが硬くなったと感じた人数が、１０人中２人〜４人
Ｂ  ：前記評価サンプルの手触りが硬くなったと感じた人数が、１０人中５人〜７人
Ｃ  ：前記評価サンプルの手触りが硬くなったと感じた人数が、１０人中８人以上
【００９８】
実施例１〜１１及び比較例１〜４のインクと処理剤のセットを構成する処理剤の組成及び評価結果を、表２に示す。
【００９９】
【表２】
2019178316.tif 000004
【０１００】
表２に示すとおり、実施例１〜１１では、綿及びポリエステルの双方において、画質、定着性及び触感の全ての評価結果が良好であった。前記カチオン性ウレタンエマルションの含有量が２．５質量％以上である実施例２〜８では、前記カチオン性ウレタンエマルションの含有量が２．５質量％未満である実施例１と比べて、綿での定着性の評価結果がより優れていた。前記カチオン性ウレタンエマルションの含有量が２０質量％以下である実施例１〜７では、前記カチオン性ウレタンエマルションの含有量が２０質量％を超える実施例８と比べて、綿及びポリエステルでの触感の評価結果がより優れていた。前記カチオン性ウレタンエマルションのウレタン構造がエステル系である実施例５では、カチオン性ポリマーエマルションのウレタン構造がエステル系でない実施例１０と比べて、綿及びポリエステルでの触感の評価結果がより優れていた。
【０１０１】
一方、前記カチオン性ウレタンエマルションに代えて、カチオン性スチレンアクリルエマルション又はカチオン性アクリル酸エステル共重合体エマルションを用いた比較例１及び２では、綿及びポリエステルでの触感の評価結果が悪かった。また、前記カチオン性ウレタンエマルションに代えて、アニオン性ポリマーエマルションを用いた比較例３及び４では、綿及びポリエステルでの定着性の評価結果が悪かった。
【産業上の利用可能性】
【０１０２】
以上のように、本発明のインクと処理剤のセットは、記録用紙と、記録用紙以外の記録媒体との双方の記録に利用可能である。本発明のインクと処理剤のセットの用途は、特に限定されず、各種のインクジェット記録に広く適用可能である。
【符号の説明】
【０１０３】
１          インクジェット記録装置
２          インクカートリッジ
３          インク吐出手段（インクジェットヘッド）
４          ヘッドユニット
５          キャリッジ
６          駆動ユニット
７          プラテンローラ
８          パージ装置
【図１】
2019178316.tif 000005
【図２】
2019178316.tif 000006
【図３】
2019178316.tif 000007